(57)【要約】【課題】  本発明は魚釣用リールに関し、正確な時刻情報に基づいた釣り情報を表示器で認識可能な魚釣用リールを提供することを目的とする。【解決手段】  リール本体に各種の釣り情報を表示する表示器を備えた魚釣用リールであって、上記リール本体に、時刻情報を含む電波を受信する受信手段と、当該受信手段からの受信信号を入力する制御手段とを備え、制御手段は、受信手段で受信された電波を基に得た時刻情報に基づき、前記表示器に当該時刻情報に関連した釣り情報を表示させることを特徴とし、請求項２に係る発明は、所定のリール駆動条件を記憶した記憶手段と、リール駆動状態を計測する計測手段とを備え、釣り情報は、計測手段による計測結果が記憶手段に記載されたリール駆動条件を満たしたときに、時刻情報に基づき制御手段がリール使用開始時期を刻時したメンテナンス情報であることを特徴とする。【選択図】    図２
2005065600.tif 000002
【特許請求の範囲】
【請求項１】
リール本体に各種の釣り情報を表示する表示器を備えた魚釣用リールであって、
上記リール本体に、時刻情報を含む電波を受信する受信手段と、
当該受信手段からの受信信号を入力する制御手段とを備え、
制御手段は、受信手段で受信された電波を基に得た時刻情報に基づき、前記表示器に当該時刻情報に関連した釣り情報を表示させることを特徴とする魚釣用リール。
【請求項２】
所定のリール駆動条件を記憶した記憶手段と、リール駆動状態を計測する計測手段とを備え、
釣り情報は、計測手段による計測結果が記憶手段に記載されたリール駆動条件を満たしたときに、時刻情報に基づき制御手段がリール使用開始時期を刻時したメンテナンス情報であることを特徴とする請求項１に記載の魚釣用リール。
【請求項３】
所定のリール使用条件を記憶した記憶手段と、リール使用状態を計測する計測手段とを備え、
釣り情報は、計測手段による計測結果が記憶手段に記載されたリール使用条件を満たしたときに、時刻情報に基づき制御手段が累積したリール使用時間やリール使用回数の釣行情報であることを特徴とする請求項１に記載の魚釣用リール。
【請求項４】
潮時を記憶した記憶手段を備え、
釣り情報は、時刻情報に基づく潮時情報であることを特徴とする請求項１に記載の魚釣用リール。
【請求項５】
制御手段は、受信手段で受信された電波を基に得た時刻情報を表示器に表示させることを特徴とする請求項１乃至請求項４のいずれか１項に記載の魚釣用リール。
【発明の詳細な説明】
【技術分野】
【０００１】
本発明は、リール本体に各種の釣り情報を表示する表示器を備えた魚釣用リールに関する。
【背景技術】
【０００２】
釣果の向上を図るため、近年、多くの魚釣用リールには、回転数検出手段で検出したスプールの回転数を基に釣糸の繰出し量を計測して、これをリール本体に備えた表示器に表示させる糸長計測装置をはじめ、糸長計測装置の計測値を基にモータやソレノイド等のアクチュエータでクラッチ機構を作動させて、仕掛けの繰出しを所定の棚位置で停止させる棚停止装置等、魚釣用リールの操作性の向上を図る様々な機能が組み込まれている。
【０００３】
そして、魚釣用リールは、水や砂，異物，魚のヌメリ等が付着し易く、実釣時や移動中に他物と衝突したり、海水や異物が付着したまま車のトランクに長期間保管される等、厳しい環境下で使用，保管されるため、特許文献１には、リール本体に設けた外部操作手段の操作でリールの使用開始の年月日や購入日時を記憶手段に記憶保持し、これらをリール本体の表示器に表示可能としてメンテナンス時期の見極めができるようにした魚釣用リールが開示されており、今日、魚釣用リールの多機能化，電子化が進み、表示器には様々な釣り情報が表示されるようになっている。
【０００４】
また、斯様に魚釣用リールの多機能化，電子化が進んでいるとしても、釣りはその日の潮時（満潮，干潮の時刻）が釣果に影響し、潮時は場所や日時によって異なるため、釣人は潮時表を携帯して釣場に行くケースが多いのも実情である。
【特許文献１】特開２００２−３０６８７８号公報
【発明の開示】
【発明が解決しようとする課題】
【０００５】
しかし乍ら、特許文献１に開示された魚釣用リールは、外部操作手段の操作でリールの使用開始時期等を記憶手段に入力させなければならないため、作業が面倒であると共に正確な時間データが入力できず、メンテナンスを精度良く行うことができない虞がある。
而も、この従来例では、リールの正確な実使用時間や実使用回数を年月日や時刻に応じて認識できないため、リールの寿命や次回釣行までのメンテナンス及び準備等を確実且つ効率良く行うことができなかった。
【０００６】
また、釣場で実際に釣りを行っている時間帯での潮時を正確に把握することが必要であるが、潮時表と腕時計等からの読み取りでは容易且つ正確に行えないのが実情であった。
本発明は斯かる実情に鑑み案出されたもので、正確な時刻情報に基づいた釣り情報を表示器で認識可能な魚釣用リールを提供することを目的とする。
【課題を解決するための手段】
【０００７】
斯かる目的を達成するため、請求項１に係る発明は、リール本体に各種の釣り情報を表示する表示器を備えた魚釣用リールであって、上記リール本体に、時刻情報を含む電波を受信する受信手段と、当該受信手段からの受信信号を入力する制御手段とを備え、
制御手段は、受信手段で受信された電波を基に得た時刻情報に基づき、前記表示器に当該時刻情報に関連した釣り情報を表示させることを特徴とする。
【０００８】
そして、請求項２に係る発明は、請求項１に記載の魚釣用リールに於て、所定のリール駆動条件を記憶した記憶手段と、リール駆動状態を計測する計測手段とを備え、釣り情報は、計測手段による計測結果が記憶手段に記載されたリール駆動条件を満たしたときに、時刻情報に基づき制御手段がリール使用開始時期を刻時したメンテナンス情報であることを特徴とする。
【０００９】
また、請求項３に係る発明は、請求項１に記載の魚釣用リールに於て、所定のリール使用条件を記憶した記憶手段と、リール使用状態を計測する計測手段とを備え、釣り情報は、計測手段による計測結果が記憶手段に記載されたリール使用条件を満たしたときに、時刻情報に基づき制御手段が累積したリール使用時間やリール使用回数の釣行情報であることを特徴とする。
【００１０】
更にまた、請求項４に係る発明は、請求項１に記載の魚釣用リールに於て、潮時を記憶した記憶手段を備え、釣り情報は、時刻情報に基づく潮時情報であることを特徴とする。
そして、請求項５に係る発明は、請求項１乃至請求項４のいずれか１項に記載の魚釣用リールに於て、制御手段は、受信手段で受信された電波を基に得た時刻情報を表示器に表示させることを特徴とする。
【発明の効果】
【００１１】
請求項１に係る発明によれば、時計の持参や刻時誤差の心配がなく、正確な時刻に基づいた釣り情報が釣場で容易に確認でき、この結果、従来に比し魚釣用リールを最適な使用状態で、且つ最適な使用環境で釣行できる利点を有する。
そして、請求項２及び請求項３に係る発明によれば、正確且つ容易に魚釣用リールの使用開始時期やリール使用時間，釣行回数等が自動入力されるので、時計の持参や刻時誤差の心配もなく、正確な時刻に基づいたこれらの釣り情報を認識することができ、次回釣行までのメンテナンスや準備に役立つこととなる。
【００１２】
また、請求項４に係る発明によれば、正確な時刻に基づいた潮時情報が釣場で容易に確認でき、更にまた、請求項５に係る発明によれば、正確な時刻が釣場で容易に確認できる利点を有する。
【発明を実施するための最良の形態】
【００１３】
以下、本発明の実施形態を図面に基づいて詳細に説明する。
図１は請求項１乃至請求項５に係る魚釣用リールの一実施形態を示し、図中、１はリール本体３のフレーム、５，７は当該フレーム１の左右に取り付く側板で、両側板５，７間にスプール軸を介してスプール９が回転可能に支持されている。
スプール９は、スプールモータの駆動やハンドル１１の巻取り操作で回転して釣糸が巻回されるようになっており、スプールモータはスプール９前方のフレーム１に一体成形されたモータケース内に収納されている。
【００１４】
そして、ハンドル側側板７の上部前方には、特許第２９７７９７８号公報で開示された魚釣用リールと同様、スプールモータのモータ出力を増減してスプール９の回転速度（釣糸の巻取り速度）を調節するパワーレバー（モータ出力調節体）１３が、ハンドル１１の回転方向と同方向へ操作可能に取り付けられており、パワーレバー１３は側板７に内蔵されたポテンショメータ１５に連結されている。そして、リール本体３上部の制御ボックス１７に内蔵された図２のマイクロコンピュータ（制御手段）１９は、パワーレバー１３の操作量に応じたパルス信号のデューティ比としてスプールモータ２１への電流通電時間率を可変制御し乍ら、モータ駆動回路２３を介してモータ出力をモータ停止状態から最大値（０〜１００％）まで連続的に駆動制御するようになっている。
【００１５】
また、図１に示すようにスプール９後方の側板５，７間には、側板７内に装着したクラッチ機構のクラッチレバー２５が装着されており、当該クラッチレバー２５の操作でクラッチ機構がＯＮ／ＯＦＦに切り換わって、スプール９へのスプールモータ２１やハンドル１１の駆動力が伝達／遮断されるように構成されている。
そして、スプール９の一側面にマグネット２７が装着されると共に、当該マグネット２７の回転軌跡に対向してフレーム１に一対のリードスイッチ２９が装着されており、これらはスプール９の回転方向と回転数を検出する回転検出手段３１を構成する。そして、図２に示すようにリードスイッチ２９は、マイクロコンピュータ１９のＣＰＵに接続されている。
【００１６】
而して、ＣＰＵは、特開平５−１０３５６７号公報で開示された魚釣用リールと同様、リードスイッチ２９から出力されるスプール９の正転，逆転の判定信号を取り込んで釣糸の繰出しか巻取りかを判定すると共に、リードスイッチ２９から取り込むスプール９の回転パルス信号をカウントして、この計数値を基にマイクロコンピュータ１９のＲＯＭに記憶された糸長計算式を演算実行するようになっている。
【００１７】
そして、図２に示すようにＣＰＵは、表示駆動回路３３を介してその演算結果を、制御ボックス１７の操作パネル３５上に設けた表示器３７に表示させるようになっており、釣人は斯かる表示を確認し乍ら、所定の水深に仕掛けを繰り出したり、ハンドル１１やパワーレバー１３の操作で釣糸を巻き上げることが可能である。
また、図１に示すように操作パネル３５上には、表示器３７に隣接してリセットスイッチ３９やモードスイッチ４１，棚メモスイッチ４３，表示切換えスイッチ４５，選択スイッチ４７，４９等が装着されており、これらはマイクロコンピュータ１９に接続されている。そして、図３に示すようにモードスイッチ４１の操作で、マイクロコンピュータ１９は「実釣モード（糸長計測モード）」，「釣り情報表示モード」に順次切り換わり、更に「釣り情報表示モード」に於ける表示切換えスイッチ４５の操作で、マイクロコンピュータ１９は「メンテナンス情報表示モード」，「釣行情報表示モード」，「潮時情報表示モード」に順次切り換わるように構成されている。
【００１８】
即ち、既述したようにマイクロコンピュータ１９は、リードスイッチ２９から取り込むスプール９の回転パルス信号をカウントし、この計数値を基に糸長計算式を演算実行して演算結果を表示器３７に表示させるが、表示器３７は、微細な３種類のＬＣＤ画素を縦横方向に数万〜数十万画素配列したＬＣＤ表示器からなり、図４に示すように「実釣モード」に於て、表示器３７の中央に、以下の如く水面からの仕掛けの水深と棚からの仕掛けの距離が上下２段に並列して表示されるようになっている。
【００１９】
尚、以下、表示器３７に於て、水面からの仕掛けの水深を示す部位を「上カラ表示部５１」、棚からの仕掛けの距離を示す部位を「棚カラ表示部５３」と称する。
先ず、「実釣モード」に於て、釣糸の繰出しに伴い、マイクロコンピュータ１９はリードスイッチ２９からの回転パルス信号を基に釣糸の繰出し量を演算して、この演算結果を上カラ表示部５１に表示する。そして、釣糸が竿先から水面まで繰り出された処で釣人がリセットスイッチ３９を操作すると、上カラ表示部５１の表示値が「０．０」にリセットされるようになっている。
【００２０】
この後、釣人が釣糸を繰り出していくと、ＣＰＵで演算，計測された糸長値が上カラ表示部５１に表示され、そして、釣糸が例えば９５．５ｍ繰り出された処で棚メモスイッチ４３を操作すると、棚カラ表示部５３に「０．０」が表示されて棚位置が設定され、以後、図４に示すように棚位置から例えば１５ｍの釣糸の巻上げに伴う仕掛けの距離と水面からの繰出し量（水深）が、棚カラ表示部５３と上カラ表示部５１に夫々表示されるようになっている。
【００２１】
そして、本実施形態に係る魚釣用リール５５には、上述の如き構成に加え、電波時計が組み込まれている。
図２に示すように、独立行政法人通信総合研究所日本標準時グループで約１０台の原子時計５７によって創られた日本標準時と、標準電波送信所５９の原子時計６１（３台）は遠隔制御によって連動しており、時間情報を含む標準電波（地上波）Ｐが送信所５９から全国に送信されている。
【００２２】
そこで、図２に示すようにリール本体３には、標準電波Ｐを受信するアンテナ６３と受信機６５が内蔵されており、標準電波Ｐはアンテナ６３を介して受信機６５に伝達されている。そして、受信機６５で増幅された受信パルスがマイクロコンピュータ１９に入力され、マイクロコンピュータ１９のＣＰＵは、魚釣用リール５５の駆動時に時刻信号を基に時刻を修正して、修正された時刻情報を「実釣モード」時に表示器３７の時刻表示部６７に表示させるようになっている。
【００２３】
図４に示すように時刻表示部６７は、上下２段に表示された上カラ表示部５１と棚カラ表示部５３の下方に位置し、当該時刻表示部６７に、西暦の年月日と曜日，秒を含む現在時刻が時刻情報として刻々とデジタル表示されるようになっている。尚、現在時刻はアナログ表示させてもよい。
そして、本実施形態は、この修正された正確な時刻情報に基づき、前記表示器３７に当該時刻情報に関連した種々の釣り情報を表示させることを特徴とする。
【００２４】
即ち、マイクロコンピュータ１９のＲＯＭには、一例として、
「1」 所定のリール駆動条件
スプールが釣糸繰出し方向へ１００回転
「2」 所定のリール使用条件
スプール使用時間の累積６時間で１回の釣行
「3」 全国各地の主要な釣場の潮時情報
が予め設定，記憶されている。
【００２５】
上記「1」 について説明すると、マイクロコンピュータ１９のＣＰＵは、魚釣用リール５５が購入されて初めての駆動後、スプール９が釣糸巻取り方向へ１００回転したことを検出した時を魚釣用リール５５の使用開始時であるとみなして、この時を既述した時刻情報を基に魚釣用リール５５の使用開始時期としてＲＡＭに自動的に記憶させるようになっている。
【００２６】
スプール９の釣糸繰出し方向への回転は、既述した回転検出手段３１によって計測され、ＣＰＵは、リードスイッチ２９からの回転パルス信号を基にスプール９の１００回転を計測すると、既述したように魚釣用リール５５の使用開始であると判断して、前記時刻情報（修正して得た年月日と曜日，秒を含む現在時刻）を基にこの使用開始時期をＲＡＭに記憶させる。
【００２７】
そして、前記モードスイッチ４１の操作でマイクロコンピュータ１９が「実釣モード」から「釣り情報表示モード」に移行すると、図３に示すようにマイクロコンピュータ１９は先ず「メンテナンス情報表示モード」に切り換わって、表示器３７に設定した使用開始時期表示部６９に、ＲＡＭに記憶させた使用開始時期を表示させるようになっている。
尚、図示しないが、マイクロコンピュータ１９が「実釣モード」から「釣り情報表示モード」に移行すると、既述した上カラ表示部５１と棚カラ表示部５３，時刻表示部６７の表示は消え、表示器３７に使用開始時期表示部６９が設定される。
【００２８】
而して、通常、この種の魚釣用リールは半年から１年がメンテナンス時期とされているから、釣人は、使用開始時期表示部６９に表示された使用開始時期を基にメンテナンス時期が確認できることとなる。
そして、例えばメンテナンス後に、この「メンテナンス情報表示モード」に於て、釣人がリセットスイッチ３９を操作すると、ＲＡＭに記憶されていた先の使用開始時期が消去され、ＣＰＵは、以後、釣糸の繰出しに伴いスプール９が１００回転したときに、既述した時刻情報を基に、この時を新たな使用開始時期としてＲＡＭに自動的に記憶させるようになっている。
【００２９】
従って、この後、モードスイッチ４１の操作で「実釣モード」から「釣り情報表示モード」に移行して「メンテナンス情報表示モード」に切り換わると、表示器３７の使用開始時期表示部６９に、メンテナンス後の新たな使用開始時期が表示されることとなる。
次に、前記「2」 について説明すると、ＣＰＵは、スプール９の回転時間を魚釣用リール５５の使用時間とみなして、リードスイッチ２９からの回転パルス信号と既述した時刻情報を基にスプール９の回転時間を常時計測し、ＲＡＭに自動的に累積，記憶させていく。
【００３０】
而して、通常、およそ１釣行当たりのリールの使用時間は６〜７時間で、１０〜１２回で１シーズンの使用が一般的であるから、本実施形態では、スプール９の６時間の累積回転時間（＝魚釣用リール５５の使用時間）を、１回の釣行とみなすようにプログラムされている。
そして、既述したモードスイッチ４１の操作でマイクロコンピュータ１９を「実釣モード」から「釣り情報表示モード」に切り換え、表示切換えスイッチ４５の操作で「釣行情報表示モード」に切り換えると、マイクロコンピュータ１９は、表示器３７に設定した使用時間表示部７１と使用回数表示部７３に、ＲＡＭに累積，記憶させた魚釣用リール５５の使用時間と釣行回数を表示させるようになっている。
【００３１】
尚、このとき、既述した使用開始時期表示部６９の表示は消える。
従って、釣人は、斯かる表示から魚釣用リール５５の使用時間と釣行回数を確認することができ、メンテナンスの目安となる。
次いで、前記「3」 について説明すると、マイクロコンピュータ１９のＲＯＭには、予め全国各地の主要な釣場の潮時情報（満潮，干潮の時刻情報）が設定，記憶されており、モードスイッチ４１の操作でマイクロコンピュータ１９を「実釣モード」から「釣り情報表示モード」に切り換えて、表示切換えスイッチ４５の操作で「潮時情報表示モード」に切り換えると、マイクロコンピュータ１９は、表示器３７に設定した潮時情報表示部７５に、先ず、全国各地の釣場名を複数個宛表示させるようになっている。
【００３２】
そして、図示しないが既述した選択スイッチ４７，４９の操作で表示を上下方向にスクロールさせると、釣場が順次一つ宛切り換わり、所要の釣場を潮時情報表示部７５の最上部に位置させて両選択スイッチ４７，４９を同時に操作すると、選択したその釣場に於ける潮時情報と、今現在の時刻情報が潮時情報表示部７５に同時に表示されるようになっている。
【００３３】
従って、釣人は、潮時情報表示部７５の表示から、電波時計による現在の正確な日時や時刻と潮時情報を同時に比較することが可能となる。
本実施形態はこのように構成されており、既述したように標準電波Ｐがアンテナ６３を介して受信機６５に伝達され、受信機６５で増幅された受信パルスがマイクロコンピュータ１９に入力される。
【００３４】
そして、ＣＰＵは、魚釣用リール５５の駆動時に時刻信号を基に時刻を常時修正し、「実釣モード」に於て、修正されて得た時刻情報を表示器３７の時刻表示部６７に表示させる。また、実釣に伴い、釣糸の巻上げに伴う仕掛けの距離と水面からの繰出し量（水深）が計測され、「実釣モード」に於て、棚カラ表示部５３と上カラ表示部５１にこれらが表示される。
【００３５】
一方、マイクロコンピュータ１９のＣＰＵは、魚釣用リール５５の駆動後、釣糸が繰り出されてスプール９が初めて１００回転したとき、この時を魚釣用リール５５の使用開始であるとみなして、既述した時刻情報（修正して得た年月日と曜日，秒を含む現在時刻）を基に魚釣用リール５５の使用開始時期をＲＡＭに記憶させる。尚、既述したようにスプール９の回転は回転検出手段３１によって計測される。
【００３６】
そして、モードスイッチ４１の操作でマイクロコンピュータ１９が「実釣モード」から「釣り情報表示モード」に切り換わると、図３に示すようにマイクロコンピュータ１９は先ず、「メンテナンス情報表示モード」に切り換わって、表示器３７に設定した使用開始時期表示部６９にＲＡＭに記憶させた使用開始時期を表示させる。
従って、釣人は、使用開始時期表示部６９に表示された使用開始時期からメンテナンス時期が確認できることとなる。
【００３７】
また、例えばメンテナンス後に、「メンテナンス情報表示モード」状態で釣人がリセットスイッチ３９を操作すると、ＲＡＭに記憶されていた先の使用開始時期が消去され、ＣＰＵは、以後、釣糸の繰出しに伴いスプール９が１００回転したときに、既述した時刻情報を基に新たな使用開始時期をＲＡＭに記憶させる。
従って、この後、モードスイッチ４１の操作で「実釣モード」から「釣り情報表示モード」に移行して「メンテナンス情報表示モード」に切り換わると、表示器３７の使用開始時期表示部６９に、メンテナンス後の新たな使用開始時期が表示されることとなる。
【００３８】
また、ＣＰＵは、スプール９の回転時間を魚釣用リール５５の使用時間とみなし、リードスイッチ２９からの回転パルス信号と既述した時刻情報を基にスプール９の回転時間を常時計測し、ＲＡＭに累積，記憶させていく。そして、斯かる計測時間を基に、ＣＰＵは釣行回数を演算して、同様にＲＡＭに累積，記憶させていく。既述したように本実施形態では、スプール９の６時間の累積回転時間）を１回の釣行とみなすようにプログラムされている。
【００３９】
そして、モードスイッチ４１の操作でマイクロコンピュータ１９を「実釣モード」から「釣り情報表示モード」に切り換えて、表示切換えスイッチ４５の操作で「釣行情報表示モード」に切り換えると、マイクロコンピュータ１９は、表示器３７に設定した使用時間表示部７１と使用回数表示部７３に、ＲＡＭに累積，記憶させた魚釣用リール５５の使用時間と釣行回数を表示させる。
【００４０】
従って、釣人は、斯かる表示から魚釣用リール５５の使用時間や釣行回数を確認することができ、メンテナンスの目安となる。
更にまた、モードスイッチ４１の操作でマイクロコンピュータ１９を「実釣モード」から「釣り情報表示モード」に切り換えて、表示切換えスイッチ４５の操作で「潮時情報表示モード」に切り換えると、マイクロコンピュータ１９は、表示器３７に設定した潮時情報表示部７５に、先ず、全国各地の釣場名を複数個宛表示させる。
【００４１】
そして、釣人が選択スイッチ４７，４９を操作して表示を上下方向にスクロールさせて、所要の釣場を潮時情報表示部７５の最上部に位置させた処で両選択スイッチ４７，４９を同時に操作すると、選択したその釣場に於ける潮時情報と時刻情報が潮時情報表示部７５に同時に表示される。
従って、釣人は、潮時情報表示部７５にて電波時計による現在の正確な日時や時刻と潮時情報を同時に比較することが可能である。
【００４２】
このように本実施形態によれば、時計の持参や刻時誤差の心配がなく正確且つ簡単に魚釣用リール５５の使用開始時期やメンテナンス後の使用開始時期が自動入力されると共に、リール使用時間，釣行回数等が自動入力されるので、電波時計による正確な時刻情報に基づく各種の釣り情報（メンテナンス情報，釣行情報）を表示器３７を介して認識することができ、また、正確な時刻に基づいた潮時情報が釣場で容易に確認できることとなって、従来に比し魚釣用リール５５を最適な使用状態で、且つ最適な使用環境で釣行できる利点を有する。
【００４３】
尚、正確な時刻情報を得るには、前記電波時計に代え、ＧＰＳを用いたナビゲーション装置を用いることも可能である。
近年、自動車や船舶の位置を正確に把握する装置として、ＧＰＳの位置検索システムが広く知られており、特開２００１−１７８３２５号公報に開示されるようにこの種のナビゲーション装置を組み込んだＧＰＳ機能付きリールも知られている。
【００４４】
このＧＰＳを用いたナビゲーション装置は、複数のＧＰＳ衛星から発信された電波を受信してその信号到達の時間差を計測することで位置の割り出しを行うため、ＧＰＳ衛星は非常に正確な原子時計を備えており、ＧＰＳ衛星からの電波には時間情報が含まれ、ＧＰＳ衛星からの時間差を計測することによって現在位置に於ける正確な時間を知ることができる。
【００４５】
そこで、図２の受信機６５に代え、図５に示すように魚釣用リール５５-1のリール本体にＧＰＳ受信機６５-1とＧＰＳ衛星７７からの電波Ｑ（時刻信号）を受信するアンテナ６３-1を内蔵し、受信機６５-1で受信されたこの時刻信号をマイクロコンピュータ１９-1に入力して、ＣＰＵが、魚釣用リール５５-1の駆動時に時刻信号を基に時刻を常時求め、以後、上記実施形態と同様の処理をさせるように構成することも可能である。
【００４６】
而して、斯かる実施形態によっても、図１の実施形態と同様、所期の目的を達成することが可能である。
尚、既述したように図１の実施形態では、スプール９の回転時間を魚釣用リール５５の使用時間とみなしたが、その他、例えばスプールモータ２１の駆動時間を魚釣用リール５５の使用時間とみなす等、リール使用条件は種々設定可能であり、リール駆動条件もその他の態様が可能で、上記実施形態のものに限定されず、また、釣り情報も上記実施形態に限定されるものではない。
【００４７】
また、上記実施形態はスプールモータ２１とハンドル１１を備えた手動併用型電動リールに本発明を適用したが、スプールモータを装着しない魚釣用リールに適用できることも勿論である。
【図面の簡単な説明】
【００４８】
【図１】請求項１乃至請求項５の一実施形態に係る魚釣用リールの平面図である。
【図２】図１に示す魚釣用リールの制御ブロック図である。
【図３】モードスイッチの操作によるマイクロコンピュータのモード切換え状態を示すフローチャートである。
【図４】表示器の表示状態を説明する表示器の拡大平面図である。
【図５】請求項１乃至請求項５の他の実施形態に係る魚釣用リールの制御ブロック図である。
【符号の説明】
【００４９】
１  フレーム
３  リール本体
９  スプール
１１  ハンドル
１３  パワーレバー
１５  ポテンショメータ
１９，１９-1  マイクロコンピュータ
２１  スプールモータ
２９  リードスイッチ
３１  回転検出手段
３７  表示器
３９  リセットスイッチ
４１  モードスイッチ
４３  棚メモスイッチ
４５  表示切換えスイッチ
４７，４９  選択スイッチ
５１  上カラ表示部
５３  棚カラ表示部
５５，５５-1  魚釣用リール
５７，６１原子時計
６３，６３-1  アンテナ
６５，６５-1  受信機
６７  時刻表示部
６９  使用開始時期表示部
７１  使用時間表示部
７３  使用回数表示部
７５  潮時情報表示部
７７  ＧＰＳ衛星
【図１】
2005065600.tif 000003
【図２】
2005065600.tif 000004
【図３】
2005065600.tif 000005
【図４】
2005065600.tif 000006
【図５】
2005065600.tif 000007